Podtech/llm-jp-corpus-v4-ja_patent huggingface dataset:
(57)【要約】【課題】ふっくらした状態に仕上がり、日持ちが良い製パン器の提供を目的とする。【解決手段】加熱室と、前記加熱室の底部に設けた、乾燥した蒸気の蒸気発生室と、前記加熱室内に設けたヒーターとを備えたことを特徴とする。【選択図】  図１
2019042418.tif 000002
【特許請求の範囲】
【請求項１】
加熱室と、
前記加熱室の底部に設けた、乾燥した蒸気の蒸気発生室と、
前記加熱室内に設けたヒーターとを備えたことを特徴とする製パン器。
【請求項２】
前記蒸気発生室は貯水部と、前記貯水部に配設した加熱ヒーターを有することを特徴とする請求項１記載の製パン器。
【請求項３】
前記加熱室内に設けたヒーターは前記加熱室の内壁に沿って枠状に形成してあることを特徴とする請求項１又は２記載の製パン器。
【発明の詳細な説明】
【技術分野】
【０００１】
本発明は、パン生地の発酵又はパンの焼き上げに用いる製パン器に関する。
【背景技術】
【０００２】
パンの製造には、パン生地をこねた後に、パン生地を３０〜６０℃にて発酵する工程を経て、１３０〜２００℃にて焼き上げる工程を有する。
従来の製パン器においては、例えば特許文献１〜３に示すように、焼成室内等にヒーターや電磁誘導加熱手段を備えたものであり、焼成室内には空気が充満しており、パン生地等が空気で酸化されるために日持ちが悪かったり、早期に変色する問題があった。
【先行技術文献】
【特許文献】
【０００３】
【特許文献１】特開２０００−１１６５２５号公報
【特許文献２】特開２００１−１７０６２号公報
【特許文献３】特開２０１５−５８０６８号公報
【発明の概要】
【発明が解決しようとする課題】
【０００４】
本発明は、ふっくらした状態に仕上がり、日持ちが良い製パン器の提供を目的とする。
【課題を解決するための手段】
【０００５】
本発明に係る製パン器は、加熱室と、前記加熱室の底部に設けた、乾燥した蒸気の蒸気発生室と、前記加熱室内に設けたヒーターとを備えたことを特徴とする。
ここで加熱室は、必要に応じて温度センサーを有し、パン生地の発酵条件あるいは焼き上げ条件に合せて温度制御されている。
【０００６】
本発明において蒸気発生室は、貯水部と前記貯水部に配設した加熱ヒーターを有するのが好ましい。
また、加熱室内に設けたヒーターは前記加熱室の内壁に沿って枠状に形成してあるのが好ましい。
【０００７】
本発明において、蒸気発生室を設けたのは、加熱室の内部を還元雰囲気にすることで、従来の空気による酸化を防止するためである。
よって、本発明に用いる蒸気は、湿り気のあるミスト状ではなく、透明に近い乾燥した過熱蒸気であるのが好ましい。
このような蒸気の状態は、貯水部に設けた加熱ヒーターと、加熱室に設けたヒーターとの組み合せにて達成される。
【発明の効果】
【０００８】
本発明に係る製パン器は、加熱室内に過熱蒸気等の乾燥した蒸気を充満させることで、相対的に空気中の酸素濃度が低くなり、還元状態になる。
このような還元状態にてパン生地を発酵させると、ふっくらとしたモチモチ感があるだけでなく、従来のパンの２〜３倍以上の日持ちが長くなる。
また、本発明に係る製パン器で発酵させ、次に焼き上げると、さらに日持ちが良くなる。
【図面の簡単な説明】
【０００９】
【図１】本発明に係る製パン器の構造例を示し、（ａ）は加熱室の断面図、（ｂ）は加熱室内部の平面図、（ｃ）はメッシュ状の台座を取り外した平面図を示す。
【図２】製パン器の外観斜視図を示し、（ａ）は蓋部を開けた状態、（ｂ）は閉じた状態を示す。
【発明を実施するための形態】
【００１０】
本発明に係る製パン器の構造例を以下、図に基づいて説明する。
図２に外観図を示し、図１に加熱室の内部構造を示す。
製パン器は、本体１１に設けた加熱室１２と、この加熱室１２を開閉する蓋部１３を有している。
本体部１１には、加熱温度，加熱時間等の条件を設定，入力する操作部１８と、内部に制御部とを有する。
上面には、蓋部の開閉操作部１８ａを有する。
【００１１】
加熱室１２の内部には、上段側と下段側の２段に枠状のヒーター１４ａ，１４ｂが取り付けられている。
この枠状のヒーターの内側に、パン生地や二次発酵したパン生地を入れるパンケースが納まるようになっている。
そこで、パンケースを載置できるように、ステンレス製等のメッシュ材からなる台座１５を加熱室１２の底部に配置し、その下側に蒸気発生室１６を設けた。
蒸気発生室１６は、水Ｗを貯水できる凹部形状になっており、水平方向に加熱ヒーター１７を設けてある。
加熱ヒーター１７は、高さ方向の幅が広く、加熱ヒーター１７の上部側が貯水凹部に入れた水Ｗの水面から上側に突出する状態になっている。
これにより、水を単に加熱するだけでなく、発生した蒸気が上昇する際に１００℃以上に過熱された乾燥蒸気となる。
また、加熱室内の枠状のヒーター１４ａ，１４ｂにても乾燥した蒸気となる。
本発明において過熱蒸気は、加熱室内を還元状態にするためであり、空気中の酸素濃度が相対的に低減できればよいので、僅かな量でよい。
従って水の量は、発酵，焼き上げの１回当たりの使用量でよい。
【００１２】
ステンレス等のパンケースに二次発酵したパン生地を入れ、これを加熱室１２に入れ、焼き上げたところ、約１週間経てもそのままふっくらとしたモチモチ感があり、風味にも変化がなかった。
本発明に係る製パン器は、パン生地の発酵から焼き上げまでを連続的に行うこともできる。
【符号の説明】
【００１３】
１１      本体部
１２      加熱室
１３      蓋部
１４ａ    ヒーター
１４ｂ    ヒーター
１５      台座
１６      蒸気発生室
１７      加熱ヒーター
１８      操作部
【図１】
2019042418.tif 000003
【図２】
2019042418.tif 000004
(57)【要約】【課題】生ジュース，青汁等の鮮度が高く、保存性に優れたジューサーの提供を目的とする。【解決手段】搾汁室と、前記搾汁室に過熱蒸気を供給する過熱蒸気発生器を備えたことを特徴とする。【選択図】  図１
2019042419.tif 000002
【特許請求の範囲】
【請求項１】
搾汁室と、
前記搾汁室に過熱蒸気を供給する過熱蒸気発生器を備えたことを特徴とするジューサー。
【請求項２】
前記搾汁室は網状の分離部と、食材を押し付ける螺旋スクリューと、前記分離部にて分離された汁の排出部とカスの排出部とを有することを特徴とする請求項１記載のジューサー。
【発明の詳細な説明】
【技術分野】
【０００１】
本発明は、野菜等から青汁，果物等から生ジュース，豆乳等を作るのに適したジューサーに関する。
【背景技術】
【０００２】
ジューサーには、高速に破砕して遠心分離によりジュース等を作るタイプと、例えば特許文献１に開示する螺旋スクリューにて食材を押し込み、網にてカスを分離しながら汁を排出するタイプとがある。
従来は、上記のいずれのタイプのジューサーにおいても、食材を破砕したり、搾汁するための搾汁室は、空気中の酸素にて酸化される状態で行われるため、得られた生ジュース，青汁，豆乳等がすぐに変色したり、味，風味が低下し、鮮度を保つのが難しい問題があった。
【先行技術文献】
【特許文献】
【０００３】
【特許文献１】特開２００８−５９３号公報
【発明の概要】
【発明が解決しようとする課題】
【０００４】
本発明は、生ジュース，青汁等の鮮度が高く、保存性に優れたジューサーの提供を目的とする。
【課題を解決するための手段】
【０００５】
本発明に係るジューサーは、搾汁室と、前記搾汁室に過熱蒸気を供給する過熱蒸気発生器を備えたことを特徴とする。
本発明は、搾汁室に過熱蒸気を供給することで、この搾汁室を還元状態にし、食材から生ジュース等が搾汁される際に、空気中の酸素による酸化を抑えた点に特徴がある。
従って、ジューサーの搾汁構造に制限はない。
例えば、搾汁室は網状の分離部と、食材を押し付ける螺旋スクリューと、前記分離部にて分離された汁の排出部とカスの排出部とを有する構造が例として挙げられる。
【発明の効果】
【０００６】
本発明に係るジューサーは、搾汁室に過熱蒸気を供給する過熱蒸気発生器を備えているので、食材からジュース等が搾汁される工程が還元雰囲気で行われる。
これにより、ジュース等の酸化を抑えることができ、変色もなく、栄養価の高い状態が維持される。
【図面の簡単な説明】
【０００７】
【図１】本発明に係るジューサーの構造例を示す。
【図２】搾汁室の構造例を示す。
【図３】過熱蒸気発生器の構造例を示す。
【発明を実施するための形態】
【０００８】
本発明に係るジューサーは、搾汁室を還元状態にするのが目的であり、過熱蒸気発生器がジューサーと一体的であっても附属品として取り付け可能であってもよい。
以下、図に基づいて説明する。
図１，２は、食材を押し込み搾汁するタイプのジューサー例になっている。
ジューサー１０は、モーター及び制御部等が内蔵されている駆動部１１と、その上に搾汁室１１を有する。
図２に示すように搾汁室１１は、上部に食材の投入口１３を有し、内部にメッシュ状の網からなる分離部１８と、食材を圧縮する螺旋スクリュー１６を有する。
食材は螺旋スクリューの回転により、そのつば部１６ａにて搾汁され、汁は分離部を介してその外側から汁排出部１４を経由して容器（グラス）１９に貯められる。
一方、搾汁されたカスは、カス排出部１５から外に排出される。
【０００９】
この搾汁室１１には、過熱蒸気発生器１７にて発生させた過熱蒸気が供給されていて、還元状態になっている。
ここで過熱蒸気とは、１００℃を超えるように過熱された乾燥した蒸気をいう。
このような上記が搾汁室内に充満することで、相対的に酸素濃度が低下し、還元雰囲気となる。
【００１０】
過熱蒸気発生器１７の構造に制限はない。
図３に示した例は、略Ｌ字型の内部構造になっている。
底部の貯水部１７ａに原水Ｗを貯水し、この水を沸騰させるヒーター１７ｃが取り付けられている。
発生した蒸気は、立上部１７ｂ内に設けた過熱ヒーター１７ｄにより、１００℃以上に過熱され、乾燥した蒸気になっている。
このような乾燥した蒸気を、供給口１７ｅと汁排出部１４と連結することで、この汁排出部を介して搾汁室１１に投入する例になっているが、搾汁室に投入できれば、どのような連結方法でもよい。
【００１１】
本発明に係るジューサーを用いて、りんご，もも等の食材から生ジュースを作ったところ、まろやかな風味を有し、保存性に優れ、約３日間変色がなく、味の低下がなかった。
従来のジューサーでは、１時間もすれば変色が始まっていたので、本発明に係るジューサーはそれに比較して、長期間鮮度を保つことができた。
【符号の説明】
【００１２】
１０      ジューサー
１１      搾汁室
１２      駆動部
１３      投入口
１４      汁排出部
１５      カス排出部
１６      螺旋スクリュー
１７      過熱蒸気発生器
１８      分離部
【図１】
2019042419.tif 000003
【図２】
2019042419.tif 000004
【図３】
2019042419.tif 000005
(57)【要約】      （修正有）【課題】本発明は、布担架に６か所の取っ手を配置したＰＡ連携用布担架に関し、従来の救護搬送において生じていた搬送員の負担を改善、感染の危険を解決し、より安全で、早急な搬送に繋げることを特徴とする。【解決手段】ＰＡ連携用布担架は、従来、長方形の布に片側３カ所、両側で合計６カ所に取っ手が一つずつ配置されているだけであったが、本発明は、本体（１）に取り付けられている６カ所の取っ手部へもう一つずつ取っ手（２）を設けたことを特徴とする。【選択図】図１
2019042449.tif 000002
【特許請求の範囲】
【請求項１】
ＰＡ連携用布担架は、本体（１）に取り付けられている６カ所の取っ手部へもう一つずつ取っ手（２）を設けたことを特徴とするＰＡ連携用布担架。
【発明の詳細な説明】
【技術分野】
【０００１】  本発明は、布担架の取っ手を二つずつ設けた担架に関するものである。
【背景技術】
【０００２】  従来、布担架は、長方形の布に片側３カ所、両側で合計６カ所に取っ手が一つずつ配置されているだけであった。
患者の搬送では、開口部等の狭隘部分を通過する際、開口部等の前後で搬送員同士が取っ手の持ち替えをスムーズにできないため、患者が落下する危険が生じていた。
また、持ち替えの際、感染防止用のゴム手袋が挟まり、破れると、感染の危険も生じていた。
たとえば、丈夫な布製のシートとテープを縫製し、裏のテープを多人数の手で掴み重い腰部分には、さらに、安全に力が掛けられるように腕を差し込めるように補強テープを付けることにより、狭い場所や階段などからの救護搬送を安全、かつ容易にし、広い場所では、左右の筒型の部分に丈夫な棒状の物を差し込み、より多人数での安全な搬送が可能な布担架が提案されていた（特許文献１参照）。
【先行技術文献】
【特許文献】
【０００３】
【特許文献１】実願２０１２−１４８２号公報
【発明の概要】
【発明が解決しようとする課題】
【０００４】  次のような問題点があった。
開口部等を通過する際、狭隘部分の前後で、搬送員同士が布担架の取っ手の持ち替えがスムーズでなく、患者の落下危険があった。
持ち替えの際、感染防止のため着用しているゴム手袋が挟まり破れ感染危険が生じる。
長い距離の患者の搬送や体重過多の患者を搬送する際、両手で取っ手を持つことや持っている手が疲労した場合、右手（左手）から左手（右手）へ持ち替えがスムーズに行うことができなかった。
取っ手の持ち替えの際、患者を搖動することがあり、患者を搬送するときの負担の軽減に繋がる。
多くの隊員で持つことができないため、搬送するときの負担が分散されない。
本発明は、以上の問題点を解決するためになされたものである。
【課題を解決するための手段】
【０００５】  ＰＡ連携用布担架は、本体（１）に取り付けられている６カ所の取っ手部へもう一つずつ取っ手（２）を設ける。
以上の構成よりなるＰＡ連携用布担架である。
【発明の効果】
【０００６】  開口部等を通過する際、狭隘部分の前後で搬送員同士が布担架の取っ手の持ち替えをスムーズに行えるようになり、患者が落下する危険はなくなる。
持ち替えの際、感染防止のため着用しているゴム手袋が挟まり破れることがなくなり感染危険が生じない。
長い距離の患者の搬送や体重過多の患者を搬送する際、両手で取っ手を持つことや持っている手が疲労した場合、右手（左手）から左手（右手）へ持ち替えをスムーズに行うことができる。
取っ手の持ち替えの際、患者を搖動することがなく、患者を搬送するときの負担軽減に繋がる。
取っ手の数が多くなり、多くの隊員で持つことができるため、搬送するときの負担が分散される。
【図面の簡単な説明】
【０００７】
【図１】  本発明の斜視図である。
【発明を実施するための形態】
【０００８】  以下、本発明の実施の形態について説明する。
ＰＡ連携用布担架は、本体（１）に取り付けられている６カ所の取っ手部へもう一つずつ取っ手（２）を設ける。
以上の構成よりなるＰＡ連携用布担架である。
【符号の説明】
【０００９】  １  布担架本体
２  取っ手部
【図１】
2019042449.tif 000003
(57)【要約】【課題】  焼きイモを行うについて、どこにでも運べて、手軽に焼くことができ、かつ、カラッと美味しく焼くことのできるようにした組壺型イモ焼き器を提供する。【解決手段】  七輪（コンロ）の上に、壺下部（１）、壺上部（２）、蓋（３）を順次乗せ、壺上部（２）内部に網を装着してそこにイモを入れて焼く組壺型イモ焼き器を特徴とする。【選択図】図１
2019042447.tif 000002
【特許請求の範囲】
【請求項１】
底無しの壺下部（１）の上に乗せる壺上部（２）の上側は壺口で、ここに空気孔のついた蓋（３）をするが、壺を二分割すると一つがコンパクトになるため、厚みを適宜厚く出来ることになり、そして（２）の内部にイモを置く網（４）を設けた組壺型イモ焼き器。
【発明の詳細な説明】
【技術分野】
【０００１】  この発明は、市販されている定番の炭七輪（コンロ）に乗せて使用するもので、壺の底を無くし、胴を水平二分割、その上部の内部に焼き網を取り付け蓋をする、組壺型イモ焼き器に関するものである。
【背景技術】
【０００２】  従来、壺使用のイモ焼き器は、熱源部のコンロを壺底部に収納する、大型の壺を使用した、営業用のものであった。
【発明の概要】
【発明が解決しようとする課題】
【０００３】  これは次のような欠点があった。
従来、大型のため重量、大きさが容易に運搬できるものではなく、焼き方は壺内の広いこと、それに対応されるべき壺の厚みが薄いことで温度調節が難しく、イモは針金を使って内壁に吊す方法なのでイモの大きさ、形状が限られる。
本発明は、以上のような欠点をなくすためになされたものである。
【課題を解決するための手段】
【０００４】  熱源の炭七輪（コンロ）に乗せる壺下部（１）、（１）の上に乗せる壺上部（２）、（２）の上は壺口でここに蓋（３）をする。（２）の内部にイモを置く網（４）を設ける。
本発明は、以上の構成よりなる組壺型イモ焼き器である。
【発明の効果】
【０００５】    （イ）炭七輪（コンロ）の上に乗せる壺を二分割するため、一つの大きさがコンパク          トになり、重量も分割できて運搬、焼く作業がやりやすくなる。分割によって          一つの重量も増すことができる。これは、温度調節を容易にする、保温性向上          に寄与する、壺の厚みを厚く出来る。
（ロ）分割した壺の下部は、増した保温力によって熱源からの対流熱、伝導熱、輻射          熱を調節しやすくなる。壺の下部の高さは熱の調節を考慮した熱源とイモの距          離を設定している。
（ハ）壺の上部にはサツマイモを載せる網を装着できる棚状の凸部を内壁の周りに均          等に数カ所設けてある。網は壺の上部の底側から水平に差し込み網に設けてあ          る壺の凸部に対応する凹部をその凸部を通して挿入しそして回転させて網の凹          部を外して凸部の上に網を置く。凹部は凸部を通りやすくするための大きさに          してある。
イモは、網から蓋までの距離も考慮してあるので、大小、形状にほとんどこだ          わらないですむ。
網はイモ入れ、均等に焼くため、焦がしすぎないためのイモの返しもやりやす          い。
（ニ）焼きイモ作業の始めに炭を熾さねばならない。その時は壺の下部を壺の上部と          蓋を乗せたまま外して七輪（コンロ）で熾す。熾した七輪に組んだ壺を乗せる          。そして、イモ投入の適温まで壺温度が温まったならば、蓋を外してイモを入          れる。炭をその場で熾し、ただ組壺を乗せるだけで、これもやりやすい。
（ホ）火力調節のための炭の継ぎ足しは壺の上部を蓋ごと外してするのでやりやすい          。
（ヘ）蓋の底の壺の上部に接する面に空気孔の溝を適当数を均等に設ける。イモから          蒸発する水分を壺外に排出しカラッとした焼き上げに貢献する。蓋は厚くして          保温性を高めている。
【図面の簡単な説明】
【０００６】
【図１】本発明を七輪（コンロ）に乗せた状態の斜視図である。
【図２】本発明の断面図である。
【図３】本発明の蓋（３）の底部の平面図である。
【図４】本発明の壺上部（２）の底部からの平面図である。
【図５】本発明の壺上部（２）の断面図である。
【図６】本発明の網（４）の平面図である。
【発明を実施するための形態】
【０００７】  以下、本発明を実施するための形態について説明する。
サツマイモを焼くための熱源の炭火を入れた七輪（コンロ）に乗せる壺下部（１）、（１）の上に乗せる壺上部（２）、（２）の上の壺口で、ここに蓋（３）をする。（２）の内部にイモを置く網（４）を設ける。
本発明は、以上のような構造である。
これを使用するときは、七輪（コンロ）に熾した炭を入れ、その七輪に本発明の組壺型イモ焼き器を乗せ壺上部（２）の内部に設置した網にイモを乗せてから蓋（３）をして焼く。
火力調節で炭の継ぎ足し、炭火を抜くときには壺上部（２）蓋（３）を、そのまま外して行う。
イモの出し入れ、イモの焼いてる途中の返しは蓋（３）を外せばすぐ出来る。
網の置き方は壺上部（２）内部の網を置く位置に細い金属棒を数本渡すための穴を左右対称に開けて、そこに通し渡した棒の上に網を乗せてもいい。棒を通す穴は壺の壁を貫通してはいけない。
壺素材は、コンパクト化に合う、壺の厚みを増してもあまり重くならない比重の小さいもので安全な強度を得られるもの、保温性の高いもの、加工ができるだけ容易なもの、カラッと焼き上げることに寄与するイモから蒸発する水分が壺内に籠もりにくい吸水性の高いものなら良い。例えば、珪藻土、漆喰、陶がある。
コンロも組壺型イモ焼き器に勘案したものを作ってもいい。
【符号の説明】
【０００８】１  壺下部
２  壺上部
３  蓋
４  網
【図１】
2019042447.tif 000003
【図２】
2019042447.tif 000004
【図３】
2019042447.tif 000005
【図４】
2019042447.tif 000006
【図５】
2019042447.tif 000007
【図６】
2019042447.tif 000008
(57)【要約】【課題】  風呂場で体を洗うために使用した石鹸を含んだタオルやスポンジを湯おけを使用し石鹸分を洗い流す際、湯おけにお湯を溜め何回も濯ぎ洗いを繰り返しており、大量のお湯と時間を費やしていた。  本発明は、体を洗った後のタオルに含んだ石鹸分を少量のお湯と時間で洗い落とし、湯おけ表面に石鹸カスの付着しない省エネ湯おけを提供する。【解決手段】  湯おけの底部の中心に円形の底穴を設け、底穴の下にスライド式底蓋開閉板を設け、スライド式底蓋開閉板に底穴と同径の穴を開け、スライド式底蓋開閉板を引き糸でスライドさせることで湯おけの底穴を開閉できることを特徴とする省エ湯おけ。【選択図】図１
2019042457.tif 000002
【特許請求の範囲】
【請求項１】
湯おけ底部の中心に円形の底穴を設け、底穴の下にスライド式底蓋開閉板を設け、スライド式底蓋開閉板に底穴と同径の穴を設け、スライド式底蓋開閉板を左右の引き糸でスライドさせることで湯おけの底穴を開閉できる省エネ湯おけ。
【発明の詳細な説明】
【技術分野】
【０００１】  本発明は、風呂場でタオルの濯ぎ洗いに使用する湯おけに関するものである。
【背景技術】
【０００２】  従来、風呂場で使用する湯おけは、お湯を溜めタオルの濯ぎ洗い等を行っていた。本願は出願人の特願２０１６−１３８００９の改良出願である。
【先行技術文献】
【特許文献】
【０００３】
【特許文献１】特開平０７−１１７１４５号公報
【発明の概要】
【発明が解決しようとする課題】
【０００４】  風呂場で体を洗うために使用した石鹸を含ませたタオルやスポンジを湯おけを使用し洗い落す際、湯おけにお湯を溜め、何回も濯ぎ洗いを繰り返しており、大量のお湯と時間を費やしていた。又、湯おけ表面にも石鹸カスが付着し、タオル同様濯ぎ洗いをしなければならなかった。
本発明は、以上の問題点を解決するためになされたものである。
【課題を解決するための手段】
【０００５】  湯おけの底部の中心に円形の底穴を設け、底穴の下にスライド式底蓋開閉板を設ける。スライド式底蓋開閉板に底穴と同径の穴を開け、スライド式底蓋開閉板を引き糸でスライドさせることで湯おけの底穴を開閉できるようにする。引き糸の両端部に開口用ノブ、閉口用ノブを設ける。
以上の構成よりなる省エネ湯おけ。
【発明の効果】
【０００６】  従来、タオルやスポンジに含んだ石鹸カスを洗い落とすため、大量のお湯と時間を費やしていたが、本発明によって、少量のお湯と時間で洗い落とせる。又、湯おけも石鹸カスで汚れづ清潔である。
【図面の簡単な説明】
【０００７】
【図１】  本発明の斜視図
【図２】  本発明の底面図
【図３】  本発明の底穴開口状態を示す断面図
【図４】  本発明の底穴閉口状態を示す断面図
【図５】  スライド式底蓋開閉板正面図
【発明を実施するための形態】
【０００８】  以下、本発明の実施の形態を説明する。
（イ）湯おけ本体（１）の底部の中心に円形の底穴（２）を設け、底穴（２）の下にスラ      イド式底蓋開閉板（９）を設ける。
（ロ）スライド式底蓋開閉板（９）に底穴（２）と同径の穴（１１）を開け、スライド式      底蓋開閉板（９）を左右の耐久性が高いナイロン製の引き糸（５）でスライドさせ      ることで湯おけの底穴（２）を開閉できるようにする。
（ハ）引き糸（５）の両端部に開口用ノブ（３）、閉口用ノブ（４）を設ける。
（ニ）湯おけ底部に底蓋開閉板ガイド保持具（１０）を設け、スライド式底蓋開閉板（９      ）が左右にスライドできるように支える。
本発明は、以上のような構造である。
本発明を使用するときは、スライド式底蓋開閉板（９）を開口ノブ（３）で引き糸（５）を開口引き方向（ａ）に引き、底穴（２）を開口する（図３）。
湯おけ本体（１）に石鹸を含んだタオルを入れ上から蛇口でお湯を流し入れる。タオルから流れ落ちた石鹸カスを含んだお湯は、底穴（２）を通り効率よく排出され、タオルの濯ぎ洗いは短時間で終わる。又、湯おけに濯いだお湯が溜まることがないため、湯おけ表面に石鹸カスが付着しない。
タオル等の濯ぎ洗いを行わない時は、閉口ノブ（４）で引き糸（５）を閉口引き方向（ｂ）に引き、底穴（２）を閉口し（図４）、通常の湯おけとしてお湯を溜めて使用する。
【符号の説明】
【０００９】  １  湯おけ本体、２  底穴、３  開口用ノブ、４  閉口用ノブ
５  引き糸、６  引き糸ガイド用小穴、７  台座、８  台座開口部
９  スライド式底蓋開閉板、１０  底蓋開閉板ガイド保持具、
１１  穴（底穴と同径）、ａ  開口引き方向、ｂ  閉口引き方向
【図１】
2019042457.tif 000003
【図２】
2019042457.tif 000004
【図３】
2019042457.tif 000005
【図４】
2019042457.tif 000006
【図５】
2019042457.tif 000007
(57)【要約】      （修正有）【課題】薬品に関する数多くの項目をキーボード操作によらず、登録可能な薬品管理システムを提供する。【解決手段】＜手段１＞薬品に関する項目をシステム内に保存した状態にする。＜手段２＞薬品に関する項目に該当する部品を画面に表示する。＜手段３＞画面に表示された部品を選択する（押す）、またはバーコードリーダでバーコードをスキャンすることにより薬品を登録する。＜手段４＞薬品の登録、閲覧及び使用履歴を記録するための手順を示す部品を画面に表示し、操作に応じて自動で画面を切り替える。【選択図】図２
2019042460.tif 000002
【特許請求の範囲】
【請求項１】
キーボード操作をせずに、画面タッチまたはマウスによるクリックまたはバーコードリーダによるスキャンのみで操作することを特徴とする画面操作方法。
【発明の詳細な説明】
【技術分野】
【０００１】この発明は、薬品管理システムのユーザーインターフェースに関する。
【背景技術】
【０００２】従来の薬品管理システムでは、管理対象の薬品を登録する際、数多くの項目をキーボード操作により入力する方法で行う。
【発明の概要】
【発明が解決しようとする課題】
【０００３】＜課題１＞
従来の薬品管理システムでは、薬品に関する数多くの項目をキーボード操作により登録することが煩雑である。
＜課題２＞
従来の薬品管理システムでは、薬品を登録する度に同じ内容をキーボード操作により入力することが煩雑である。
＜課題３＞
従来の薬品管理システムでは、薬品の登録、閲覧及び使用履歴を記録するための操作を行う際に画面に表示された情報のみで正確な操作を行うことが困難である。
【課題を解決するための手段】
【０００４】本発明は上記の課題を解決するために、次のような手段を採用する。
＜手段１＞
薬品に関する項目をシステム内に保存した状態にする。
＜手段２＞
薬品に関する項目に該当する部品を画面に表示する。
＜手段３＞
画面に表示された部品を選択する（押す）、またはバーコードリーダでバーコードをスキャンすることにより薬品を登録する。
＜手段４＞
薬品の登録、閲覧及び使用履歴を記録するための手順を示す部品を画面に表示し、操作に応じて自動で画面を切り替える。
【発明の効果】
【０００５】本発明は次のようにして課題を解決する。
＜手段１＞により薬品に関する項目を予めシステム内に保存した状態にし、＜手段２＞で保存した情報に該当する部品を画面に配置する。＜手段３＞で選択された部品またはスキャンされたバーコードが表す情報と＜手段１＞で保存した情報を照合することにより薬品を特定する。以上により＜課題１＞、＜課題２＞を解決する。また、＜手段４＞で表示された部品を操作することで自動が画面が切り替わることにより＜課題３＞を解決する。
【図面の簡単な説明】
【０００６】
【図１】＜手段１＞のシステム内に保存する項目要素を示すイメージ図である。
【図２】＜手段２＞、＜手段３＞、＜手段４＞の実施形態を示すイメージ図である。
【発明を実施するための形態】
【０００７】＜手段１＞のシステム内に保存する項目要素を図１に示す。シナリオ１は、時系列に沿った作業手順の定義書である。薬品に関する項目２は、個々の作業に応じて画面に表示する項目である。
【０００８】＜手段２＞、＜手段３＞、＜手段４＞の実施形態を図２に示す。メニュー画面３からユーザが選択したメニューに対応したシナリオを決定し、そのシナリオに沿って画面を表示する。実際にユーザが操作をしている作業画面４は、シナリオの一手順のみが見えている状態である。部品５は薬品に関する項目あるいは当該手順を完了するためのボタンを示し、部品５を操作することまたはバーコードリーダでバーコードをスキャンすることにより手順が確定し、次の手順の作業画面に遷移する。
【符号の説明】
【０００９】１  シナリオ
２  薬品に関する項目
３  メニュー画面
４  作業画面
５  部品
【図１】
2019042460.tif 000003
【図２】
2019042460.tif 000004
(57)【要約】【課題】  鼻を美しく矯正することができ同時にファッションアイテムとして容易に装着、脱着の出来る鼻矯正美容器具を提供する。【解決手段】  鼻柱を中心に左右両サイド▲１▼で鼻腔内上下を支え鼻柱▲２▼で結合鼻を摘み上げるように左右両サイド▲１▼の内部に凹凸をつけ鼻柱▲２▼の結合部分で長さを調整鼻尖を摘み上げるように鼻を高く矯正する。鼻翼の領域に呼吸スペースができるので呼吸障害にはならない。弾性を有するゴム材、シリコン材、合成樹脂等で構成なので、装着や脱着が容易である。鼻柱▲２▼の結合部分に、ロゴやマークを等を入れる事によってファッションアイテムとして身につける事のできる。鼻用矯正美容器具である。【選択図】図１
2019042455.tif 000002
【特許請求の範囲】
【請求項１】
鼻柱を中心に両サイド鼻腔内部上下で支え鼻柱で結合一対で鼻柱を鼻尖方向に摘み上げるような形成を特徴とする鼻用矯正美容器具
【請求項２】
多彩で鼻柱結合部に、ロゴやマークを入れ鼻のイアリング状態のようなファッションアイテムとして鼻を形成ができるのを特徴とする鼻用矯正美容器具
【発明の詳細な説明】
【技術分野】
【０００１】  本考案は鼻の形状を美しく整えファッションアイテムとして見せる鼻用矯正美容器具に関するものである。
【背景技術】
【０００２】  従来の鼻用矯正美容器具には、中空の形状で鼻内部に固定して鼻の形状を矯正する。特開２０１６−４９４２５  特開２００６−３０４９７６  薄板状で鼻の外周から鼻を挟む力で形状を整える。特開２００６−８１９２８  実登３１１２４６９  特開２００５−２６１９７２  左右の鼻腔に装着して鼻を美しく矯正するボタン状の美容器具。特開２０００−５１２５７  鼻の内部仕切り部を挟持しつつ鼻の軟骨に矯正力を支えるだけでなく軟骨の成長を保進させる。実登３１００１２３のようなものがある。
【先行技術文献】
【特許文献】
【０００３】
【特許文献１】特開２０１６−４９４２５  公報
【特許文献２】特開２００６−３０４９７８  公報
【特許文献３】特開２００６−８１９２８  公報
【特許文献４】特開２００５−２６１９７２  公報
【特許文献５】特開２０００−５１２５７  公報
【特許文献６】実登３１００１２３  公報
【特許文献７】実登３１１２４６９  公報
【発明の概要】
【発明が解決しようとする課題】
【０００４】  以上に述べた従来の鼻用矯正美容器具では、鼻腔内部全体に入れるので装着脱着に困難であったり鼻の外側で矯正する鼻用矯正美容器具では外観的に見せる物でなくファッション的にデザイン性もない為、矯正している姿を人に見られるのに抵抗があった。
【課題を解決するための手段】
【０００５】  そこで本発明は上記課題を解決する為、弾性を有するゴム材  シリコン材  合成樹脂で形成された、鼻を中心に左右鼻腔内部上下を包み込むように結合一対式で鼻柱の長さで鼻尖を持ち上げ鼻柱を摘み上げる形成なので装着脱着が容易である。鼻柱の結合部分にはロゴやマークを入れることでファッション的に身につけることが出来る。
【発明の効果】
【０００６】  本発明の鼻用矯正美容器具には鼻柱を包み込む形成で鼻のイアリング状態のようなファッションアイテムとして矯正状態であっても人に見られても抵抗がなくなる。
【図面の簡単な説明】
【０００７】
【図１】  本発明の実施形態を示す鼻矯正用美容器具の平面図
【図２】  同鼻用矯正美容器具の横方向から見た外観図
【図３】  同鼻用矯正美容器具を後方から見た外観図
【図４】  同鼻用矯正美容器具を装着した図
【発明を実施するための形態】
【０００８】  以下、本発明の実施の形態を図面に基づいて説明する。
【０００９】  図１は鼻柱を中心に鼻柱を挟み込むように形成された平面図で▲１▼鼻柱の両サイド鼻腔内部で上下を支える為に少し厚みをつけ鼻柱を摘むような凹凸を内側つけ、▲２▼の鼻柱結合部分で鼻柱に沿うよう湾曲結合
【００１０】  本発明は図１で鼻柱を摘み上げる形成なので上の部分を鼻尖内部を先に挿入した後下部の部分を挿入するので装着脱着が容易に出来る。
【００１１】  本発明は弾性を有するゴム材、シリコン材で形成されているので微妙な形成を合わせることが出来る
【００１２】  鼻の形や大きさは様々なので、何段かのサイズに形成する。
【００１３】  図４は鼻に装着した状態のもので鼻翼外側分に呼吸スペースができるので呼吸障害にならない。
【産業上の利用可能性】
【００１４】  鼻柱が外観で見えてくるので多彩な色やロゴやマークを入れることによってファッションアイテムとしての用途にも適用出来る。
【符号の説明】
【００１５】  ▲１▼本体軸の支え棒
▲２▼結合湾曲部
【図１】
2019042455.tif 000003
【図２】
2019042455.tif 000004
【図３】
2019042455.tif 000005
【図４】
2019042455.tif 000006
(57)【要約】【課題】  従来は、熱源が一つか二つの所に，煮るものとか，炊くものなどを，別々に置いて調理を行っていた。  しかし，今迄の調理の仕方では，限られた熱源の限られた熱量を有効に生かせず，別々の調理に長い時間を要していた。  本発明は短時間に，限られた熱源の熱量を有効に利用する為に，効果を発揮するものである。【特許請求の範囲】
【請求項１】
縦型又は横型の容器に，複数の煮るとか，炊くなどの調理器具を設置する場所を設けて，その上下部，又は横の部分に熱源部と加熱室を設けた多層式加熱調理器。
【発明の詳細な説明】
【技術分野】
【０００１】  本発明は、家事の部分の調理に関する発明で，調理を迅速に確実に行い，ガスとか電気とかの熱源を有効に利用するための調理器である。
【背景技術】
【０００２】  従来の調理器は，煮るとか，炊くなど，それぞれに熱源と，鍋とか釜とか別個に置かれて，別個に調理されていた。
【発明の概要】
【発明が解決しようとする課題】
【０００３】  以上に述べた、従来のやり方では，煮るとか，炊くなどの調理に時間がかかり，また熱源から発する熱量を，無駄に空中に放出するだけであった。【０００４】  本発明は、従来のやり方とは異なり、限られた調理の場所で，限られた熱源を使って，同時に煮るとか炊くとかの調理を可能とするものである。
【課題を解決するための手段】
【０００５】  本発明は、上記の目的を達成するために、縦方向又は横方向に設置した容器に，煮る，炊く，などの調理器具を取り付けることが出来る，一連の調理器である。
【発明の効果】
【０００６】  本発明の、多層式加熱調理器は，熱源が発する熱量を有効に使い，同時に煮る，炊くなどの調理が可能となり，調理の時間を短縮し，熱源の発する熱量を有効に利用することが出来るものである。
【図面の簡単な説明】
【０００７】
【図１】  本発明の多層式加熱調理器の縦型の例示図
【図２】  本発明の多層式加熱調理器の横型の例示図
【発明を実施するための形態】
【０００８】  以下、本発明の実施の形態を、図１，図２，に基ずいて説明する
【０００９】  図１，図２，において，多層式加熱調理器１の熱源部２から発生した熱は，加熱室３に充満し調理器１に設置した，調理器具４の全てを加熱する事が出来る。
【００１０】  以上のように構成した、多層式加熱調理器は，一定量の熱源でも煮る，炊くなどの調理に対して，限られた熱量を有効に利用することが出来る，又，煮る，炊くなどの調理が同時に行える為に，時間を有効に使うことが出来るものである。
【符号の説明】
【００１１】１  多層式加熱調理器      ２  熱源部
３  加熱室                ４  調理器具
【図１】
2019042454.tif 000002
【図２】
2019042454.tif 000003
(57)【要約】【課題】視覚障害者や夜間など視覚的に見えにくい場合に、周囲の物体との距離を測定し、測定した距離と方向を音や振動など光以外の方法で、常時、人に伝える距離伝達装置を提供する。【解決手段】全周囲又は必要な方向について、その方向にある物体との距離を測定し、振動、圧力、音、そのほか人が光意外で感知できる刺激のいずれか又は複数の組み合わせに変換し、常時、方向と距離を人に伝達することを特徴とする。【選択図】図１
2019042462.tif 000002
【特許請求の範囲】
【請求項１】
水平方向および垂直方向の全周囲又は必要な方向について、その方向にある物体との距離を常時測定する装置を設け、方向と距離の情報を振動、圧力、音、そのほか人が光意外で感知できる刺激のいずれか又は複数の組み合わせに変換し、常時、方向と距離を人に伝達する装置を設けた距離伝達装置。
【請求項２】
測定した距離は、振動など人体に接触して伝達する、又は風圧など人体に非接触の状態での伝達することを可能とすることを特徴とする請求項１の距離伝達装置。
【請求項３】
人体に直接取り付けて使用する、又は帽子や衣類など身に着けるものに取り付けて使用する、又は杖や車いすなど器具に取り付けて使用する、又は距離伝達装置そのままで使用することが可能であることを特徴とする請求項１の距離伝達装置。
【請求項４】
距離の測定を行う装置と、その距離を人に伝える装置間の信号は、有線又は無線にて伝送することを特徴とする請求項１の距離伝達装置。
【請求項５】
距離の測定を行う装置と距離を人に伝える装置は、装置間の距離を離しての使用、又は一体型としての使用が可能であることを特徴とする請求項１の距離伝達装置。
【発明の詳細な説明】
【技術分野】
【０００１】  この発明は、測定した距離と方向を音や振動など光以外の方法で人に伝える距離伝達装置に関するものである。
【背景技術】
【０００２】  従来、対象物との距離を測定した結果を人に伝える場合、表記や表示など人の視覚に頼るものであるか、可視光により前方を撮像した結果から距離測定を行う装置を眼鏡に搭載し、その情報を人の耳に音（骨振動含む）又は音声で伝えるものであった。又は距離を測定した結果が所定の値になった場合に人に通知するものであった。
【先行技術文献】
【特許文献】
【０００３】
【特許文献１】特開２０１５−１６４４９８
【特許文献２】特開２０１７−７０６６６
【発明の概要】
【発明が解決しようとする課題】
【０００４】  特許文献１は次のような欠点があった。
（イ）  距離の測定が夜間など、光がない場合には使用できなかった。
（ロ）  眼鏡に搭載されたもので前方のみの距離しか測定出来なかった。
（ハ）  人の耳に音（骨振動含む）のみで伝えるものであるため、聴覚に障害を持つよ          うな場合に使用出来ない。
特許文献２は次のような欠点があった。
（ニ）  取得した情報が所定の基準に達した場合に人に通知されるもので、常に人に距          離を通知するものではなかった。
本発明は、以上のような欠点をなくすためになされたものである。
【課題を解決するための手段】
【０００５】  超音波、赤外線、電波、レーザなど可視光以外で距離の測定を行うセンサ（２ａ〜２ｅ）を、全周囲又は必要な方向にある物体との距離を測定できるよう配置した台座（１）と、測定した距離を、振動、圧力、音、そのほか人が光意外で感知できる刺激のいずれか、又は複数の組み合わせに変換して、常時、方向と距離を人に伝達する、距離伝達部（４ａ〜４ｅ）を配置した台座（３）を設ける。
本発明は、以上の構成よりなる距離伝達装置である。
【発明の効果】
【０００６】  視覚障害者や夜間など視覚的に見えにくい状況や聴覚に障害があっても、周囲の物や人との距離の検知が可能となる。また常に距離の情報が伝達されるため、距離の変化も知ることが可能となり、周囲の状況を動的に把握することが可能となる。
【図面の簡単な説明】
【０００７】
【図１】本発明の斜視図である。
【図２】本発明の系統図である。
【発明を実施するための形態】
【０００８】  以下、本発明を実施するための形態について説明する。
台座（１）の周囲に距離測定センサ（２ａ〜２ｅ）を配置する。別の台座（３）の周囲に距離伝達部（４ａ〜４ｅ）を配置する。距離測定センサ（２ａ）と距離伝達部（４ａ）、距離測定センサ（２ｂ）と距離伝達部（４ｂ）、距離測定センサ（２ｃ）と距離伝達部（４ｃ）、距離測定センサ（２ｄ）と距離伝達部（４ｄ）、距離測定センサ（２ｅ）と距離伝達部（４ｅ）を、それぞれ距離情報信号で接続する。
本発明は、以上のような構造である。
これを使用するときは、台座（３）を水平にして頭部や胴など体に取り付ける。台座（１）を、台座（３）と同じ方向を向け距離を測定する。ここで測定した距離情報を、距離測定センサ（２ａ〜２ｅ）がそれぞれ接続されている距離伝達部（４ａ〜４ｅ）を通じて伝えられる、振動や圧力、刺激などでその方向と距離を知る。
【符号の説明】
【０００９】  １    台座
２ａ  距離測定センサａ
２ｂ  距離測定センサｂ
２ｃ  距離測定センサｃ
２ｄ  距離測定センサｄ
２ｅ  距離測定センサｅ
３    台座
４ａ  距離伝達部ａ
４ｂ  距離伝達部ｂ
４ｃ  距離伝達部ｃ
４ｄ  距離伝達部ｄ
４ｅ  距離伝達部ｅ
【図１】
2019042462.tif 000003
【図２】
2019042462.tif 000004
(57)【要約】【課題】収納スペースが必要で出し入れに手間がかかり、作業能率が悪かった。【解決手段】壁掛け式なので、場所がいらず、取り出しが簡単なので効率が良くなる。【選択図】図１
2019088742.tif 000002
【特許請求の範囲】
【請求項１】
チューブ２の一端側に球状頭部３Ａを有する係止体３を設け、該チューブ２の他端側は、先端開口を該係止体３の球状頭部３Ａを圧入する差込口４とし、該差込口４の近傍に位置してチューブ２に球状頭部３Ａが係脱すると共に、該チューブ２内の空気を逃がすための小孔５を設け、該チューブ２にボビンを通した状態で前記係止体３を前記差込口４に挿入して輪状に連結するようにしたボビン保持具。
【請求項２】
前記チューブ２は２以上のチューブ分割体２Ａとし、該各チューブ分割体２Ａの前記係止体３は連結する他のチューブ分割体２Ａの差込口４に挿脱可能に連結するようにした請求項１記載のボビン保持具。
【請求項３】
請求項１記載のボビン保持具により保持するボビンには、糸ほつれ止めクリップ１１を着脱可能に設けるようにしたボビン保持具。
【発明の詳細な説明】
【技術分野】
【０００１】  本発明は、ミシンの下糸を巻回するボビンを保管するためのボビン保持具に関する。
【背景技術】
【０００２】  従来、ボビンについては箱型ケースやタワー型収納具がある。箱型ケースは、略四角形の箱の内側に半円状の凹部を多数設け、各凹部にボビンを収めるものである。他方、タワー型収納具は、支柱の側面に略Ｃ字状の多数のボビン係着片を上下に形成したものである。
【先行技術文献】
【特許文献】
【０００３】
【特許文献１】見いだせず。
【発明の概要】
【発明が解決しようとする課題】
【０００４】  従来の箱型ケースもタワー型収納具も、置いておくためのスペースが必要であるが、ミシン台の周囲は種々の用具を置いているので、スペースを確保できないという問題がある。また、タワー型収納具は軽く、高さもあるために、安定性に欠けるという欠点がある。
【課題を解決するための手段】
【０００５】  本発明は上述した従来技術の欠点に鑑みなされたもので、多数のボビンを環状のチューブに通して保管するので、場所を取らないし、所望のボビンを容易に取り外すことができるので、使い勝手に優れているボビン保持具を提供することを目的とする。【０００６】  上述した課題を解決するために構成した請求項１にかかる本発明の手段は、チューブの一端側に球状頭部を有する係止体を設け、該チューブの他端側は、先端開口に該係止体の球状頭部を圧入する差込口とし、該差込口近傍に位置してチューブに球状頭部が係脱すると共に、該チューブ内の空気を逃がすための小孔を設け、該チューブにボビンを通した状態で前記係止体を前記差込口に挿入して輪状に連結することからなる。【０００７】  そして、前記チューブ２は２以上のチューブ分割体とし、該各チューブ分割体の前記係止体は連結する他のチューブ分割体の差込口に挿脱可能に連結したものからなる。【０００８】  また、ボビン保持具により保持するボビンには、糸ほつれ止めクリップを着脱可能に設けると良い。
【発明の効果】
【０００９】  本発明は、上記の如く構成したから下記の諸効果を奏する。
（１）球状頭部を有する一側の係止体を他側の差込口に差し込んでチューブを輪状にするだけで、ボビンを保持することが出来る。
（２）輪状のチューブは、ボビンを保持した状態で壁にかけて保管できるので場所をとらない。
（３）ボビンの出し入れが簡単なので、作業の効率が良い。
（４）必要な色の糸のボビンを選び易いし、同系色毎のボビンを揃えて保管し易い。
【図面の簡単な説明】
【００１０】
【図１】本発明の実施の形態に係るボビン保持具の全体構成図である。
【図２】ボビン保持具の係止体と差込口近傍の拡大図である。
【図３】ボビン保持具の差込口と係止体の係合状態を示す拡大断面図である。
【図４】チューブを輪状にしてボビンを保管する状態の説明図である。
【図５】チューブを分割型にしたボビン保持具の説明図である。
【図６】糸ほつれ止めクリップの斜視図である。
【図７】糸ほつれ止めクリップの使用状態の断面図である。
【発明を実施するための形態】
【００１１】  図１に基付いて本発明の実施の形態について説明する。ボビン保持具１には、中空の軟質な合成樹脂のチューブ２を用いている。
【００１２】  チューブ２の一端側には、金属製の球状頭部３Ａを有する係止体３が挿着してある。チューブ２の他端側の先端開口は差込口４になっている。差込口４の近傍に位置してチューブ２に小孔５が形成してある。小孔５は係止体３を差し込んだ時にチューブ２内の空気を逃がし、また球状頭部３Ａに係止するものである。
【００１３】  チューブ２の一端側に設けてある係止体３の球状頭部３Ａをチューブ２の差込口４から外すことにより、ボビンＢをチューブ２に通して保持することができ、必要な色の糸のボビンＢを外して使用することができる。
【００１４】  図５はチューブをチューブ分割体２Ａに３分割したもので、使用糸のボビンＢを取り外し易い。
【００１５】  なお、図６及び図７は、ボビンＢに巻装した糸のほつれを防止する合成樹脂製の糸ほつれ止めクリップ１１を示す。該クリップ１１はＣ字状のクリップ本体１１Ａと、クリップ本体１１Ａの中間に外向きに突出させたつまみ部１１Ｂとから構成してある。
【００１６】  クリップ１１はボビンＢの外側に半周以上の幅で嵌着して糸の端を押さえるから、チューブ２に保持した状態で空転しても糸がほつれることがない。
【符号の説明】
【００１７】１  ボビン保持具
２  チューブ
２Ａ  チューブ分割体
３  係止体
３Ａ  球状頭部
４  差込口
５  小孔
１１  糸ほつれ止めクリップ
１１Ａ  クリップ本体
１１Ｂ  つまみ部
Ｂ  ボビン
【図１】
2019088742.tif 000003
【図２】
2019088742.tif 000004
【図３】
2019088742.tif 000005
【図４】
2019088742.tif 000006
【図５】
2019088742.tif 000007
【図６】
2019088742.tif 000008
【図７】
2019088742.tif 000009
(57)【要約】      （修正有）【課題】介受者が座っている間に、介助人が陰部及びお尻を清潔にできるトイレＢＯＸを提供する。【解決手段】トイレＢＯＸは両手が入る開口部１を有しており、介助者は開口部１を利用して、介受者が座っている間に、両手で介受者の陰部及びお尻を清潔にする。これにより、自宅介護をする家族の負担を軽減し、在宅介助者及び介受者が共に快適に生活できる。【選択図】図１
2019088750.tif 000002
【特許請求の範囲】
【請求項１】
開口部１により両手が使われるように入り、お尻を洗い流したり陰部を清潔に拭いたりすることが出来る。
【請求項２】
便座部２は前後左右に設置できることにより、前後左右からお尻を拭いたり陰部を清潔にすることが出来ることを目的としている。
【発明の詳細な説明】
【技術分野】
【０００１】本発明は自宅介護をする家族の負担を軽減する目的で介助がないと立ったり、歩いたりできない紙パンツ使用者のトイレＢＯＸです。
【背景技術】
【０００２】このトイレＢＯＸは本出願人の提案に係るトイレＢＯＸである。
図１．１に示すように開口部を利用し両手で陰部及びお尻を清潔にするトイレＢＯＸである。
【発明の概要】
【発明が解決しようとする課題】
【０００３】このトイレＢＯＸは１人で立ったり、歩いたりできない人の為のＢＯＸである。
普通のトイレでは介助人の助けで立ってる間に陰部及びお尻をきれいにする事が大変であった。
【課題を解決するための手段】
【０００４】このトイレＢＯＸは座っている間に陰部及びお尻を清潔にして介助で紙パンツを履かせることができる。
【発明の効果】
【０００５】このトイレＢＯＸの試作品により発明者の母親は陰部及び内股のかぶれ及び発疹等が改善された。
【図面の簡単な説明】
【０００６】
【図１】図１．１に示すように開口部は両手が入るようになっている。
【図２】図２．２は前後左右に図１．１を設置できる。
【発明を実施するための形態】
【０００７】図１．２は本発明の実施例を示す。
【実施例】
【０００８】在宅介助者及び介受者が共に快適に生活できる。
【図１】
2019088750.tif 000003
【図２】
2019088750.tif 000004